(57)【要約】【課題】鋼板製組立式物置に対してテラスを強固に取付け固定でき、しかも簡単に組立てできること。【解決手段】鋼板製組立式物置と共にテラスを組立てる場合は、物置の上部幕板をテラスの補強桟と垂木掛けで、内外で挟んだ状態で一体的に固定したうえで、上部幕板を物置本体に組み付ける。また、組立て済みの鋼板製組立式物置の場合は、物置開口上部に掛け渡された上部幕板の屋外側に垂木掛けを配置し、前記垂木掛けのネジ穴に対応するネジ穴を前記上部幕板に形成し、室内側に補強桟を配置して三部材を一体的に固定する。そして前記垂木掛けと下面を支柱で支持された前枠を左右側枠で接続してテラス屋根枠体を構成し、前記垂木掛けと前枠間に複数の垂木を掛け渡し、側枠垂木間および垂木垂木間に屋根パネルを配置し、側枠と屋根押えおよび垂木と屋根押えで挟みつけ固定する。【選択図】図１
2014055455.tif 000002
【特許請求の範囲】
【請求項１】
鋼板製組立式物置と共にテラスを組立てる場合において、物置の正面開口部上部に掛け渡す上部幕板の、室内に臨む面にテラスの補強桟を、また屋外に臨む面にテラスの垂木掛けを、それぞれ間口方向に長く配置し内外で挟んだ状態で一体的に固定したうえで、上部幕板を物置本体に組み付け、前記垂木掛けと垂木掛けに平行で下面を左右一対の支柱で支持された前枠を左右側枠で接続してテラス屋根枠体を構成し、前記垂木掛けと前枠間に複数の垂木を掛け渡し、側枠垂木間および垂木垂木間に屋根パネルを配置し、各屋根パネルの前後端部を前枠および垂木掛けに差し込み、各屋根パネルの左右端部を側枠と屋根押えおよび垂木と屋根押えで挟みつけ固定したことを特長とする、鋼板製組立式物置へのテラスの取付方法。
【請求項２】
組立て済みの鋼板製組立式物置にテラスを取付ける場合において、正面開口部上部に掛け渡した上部幕板の屋外側にテラスの垂木掛けを間口方向に長く配置し、前記垂木掛けに形成されたネジ穴に対応するネジ穴を前記上部幕板に形成し、室内側にテラスの補強桟を配置して三部材を一体的にボルトナットで固定し、前記垂木掛けと垂木掛けに平行で下面を左右一対の支柱で支持された前枠を左右側枠で接続してテラス屋根枠体を構成し、前記垂木掛けと前枠間に複数の垂木を掛け渡し、側枠垂木間および垂木垂木間に屋根パネルを配置し、各屋根パネルの前後端部を前枠および垂木掛けに差し込み、各屋根パネルの左右端部を側枠と屋根押えおよび垂木と屋根押えで挟みつけ固定したことを特長とする、鋼板製組立式物置へのテラスの取付方法。
【発明の詳細な説明】
【技術分野】
【０００１】
本発明は、鋼板製組立式物置にテラスを取り付ける方法に関するものである。
【背景技術】
【０００２】
一般建屋の壁面に屋根縁部を接続し、他方の軒先端部を一対の支柱で支持するテラスは、一般的であるが、鋼板製組立式物置へのテラスの取り付けに関するものは見当たらない。
【０００３】
鋼板製組立式物置は、その大きさは各種出揃っている。サイズの大きな機種は、使用者が物置室内に入って品物を探したり出し入れすることができる。しかし、収納する品物が多く室内が満杯状態の場合、または物置のサイズが小さい場合は、物置室内に入ることができず、出入り口から体半分だけあるいは体全体が外に出た状態で、品物を探したり出し入れしたりしなければならなかった。
【０００４】
そうした状況において雨が降っていると、品物を持っているため傘を差すことができず、自分自身および品物が濡れるという問題があった。開口部の上部に軒が出ている形状の鋼板製組立式物置もあるが、濡れるのを防ぐことができるほど実用的なものではなかった。
【０００５】
この改善策として、鋼板製組立式物置にテラスを取付ける方法がある。
【先行技術文献】
【特許文献】
【０００６】
【特許文献１】特開２００１−１７３１０１号公報
【発明の概要】
【発明が解決しようとする課題】
【０００７】
一般建屋にテラスを取付ける場合は、その建屋壁面にネジで止めつけて固定するが、鋼板製組立式物置の場合は、壁面パネル等の材料が厚さ１ミリ以下の薄板鋼板であるため、ネジで止めつけただけでは強度的に不十分である。また、鋼板製組立式物置は最終消費者が自分自身で組立てを行う場合も多々あり、物置を組立てると同時にテラスも組立てる場合には、専門的な技術や器具が無くても組立てできることが前提条件となっている。
【０００８】
解決しようとする問題点は、鋼板製組立式物置に対してテラスを強固に取付け固定でき、しかも簡単に組立てできるという点である。
【課題を解決するための手段】
【０００９】
本発明は、鋼板製組立式物置と共にテラスを組立てる場合において、物置の正面開口部上部に掛け渡す上部幕板の、室内に臨む面にテラスの補強桟を、また屋外に臨む面にテラスの垂木掛けを、それぞれ間口方向に長く配置し内外で挟んだ状態で一体的に固定したうえで、上部幕板を物置本体に組み付け、前記垂木掛けと垂木掛けに平行で下面を左右一対の支柱で支持された前枠を左右側枠で接続してテラス屋根枠体を構成し、前記垂木掛けと前枠間に複数の垂木を掛け渡し、側枠垂木間および垂木垂木間に屋根パネルを配置し、各屋根パネルの前後端部を前枠および垂木掛けに差し込み、各屋根パネルの左右端部を側枠と屋根押えおよび垂木と屋根押えで挟みつけ固定したことを特長とする。
【００１０】
また組立て済みの鋼板製組立式物置にテラスを取付ける場合において、正面開口部上部に掛け渡した上部幕板の屋外側にテラスの垂木掛けを間口方向に長く配置し、前記垂木掛けに形成されたネジ穴に対応するネジ穴を前記上部幕板に形成し、室内側にテラスの補強桟を配置して三部材を一体的にボルトナットで固定し、前記垂木掛けと垂木掛けに平行で下面を左右一対の支柱で支持された前枠を左右側枠で接続してテラス屋根枠体を構成し、前記垂木掛けと前枠間に複数の垂木を掛け渡し、側枠垂木間および垂木垂木間に屋根パネルを配置し、各屋根パネルの前後端部を前枠および垂木掛けに差し込み、各屋根パネルの左右端部を側枠と屋根押えおよび垂木と屋根押えで挟みつけ固定したことを特長とする。
【発明の効果】
【００１１】
本発明の鋼板製組立式物置へのテラスの取付方法は、鋼板製組立式物置と共にテラスを組立てる場合においては、物置の正面開口部上部に掛け渡す上部幕板の、室内に臨む面にテラスの補強桟を、また屋外に臨む面にテラスの垂木掛けを、それぞれ間口方向に長く配置し内外で挟んだ状態で一体的に固定したうえで、上部幕板を物置本体に組み付ける、というように鋼板製組立式物置を組立てるのと平行してテラスも組立てできるため、手間がかからず簡単に取り付けることができるという利点がある。
【００１２】
また、組立て済みの鋼板製組立式物置にテラスを取付ける場合においては、正面開口部上部に掛け渡した上部幕板の屋外側にテラスの垂木掛けを間口方向に長く配置し、前記垂木掛けに形成されたネジ穴に対応するネジ穴を前記上部幕板に形成し、室内側にテラスの補強桟を配置して三部材を一体的にボルトナットで固定することによりテラスを組立てできるため、組立て済みの鋼板製組立式物置を部分的に分解すること無く、そのままにテラスを強固に取り付けることができるという利点がある。
【図面の簡単な説明】
【００１３】
【図１】鋼板製組立式物置にテラスを取付けた状態を示す全体図である。
【図２】屋根枠体を示す分解斜視図である。
【図３】屋根パネルの取付け状態を示す分解斜視図である。
【図４】図３における組付けた状態を示す横断面図である。
【図５】組立後の状態を示す縦断面図である。
【発明を実施するための形態】
【００１４】
以下、図面に従って本発明を具体的に説明する。
図1は全体を示した図であり、鋼板製組立式物置Ｎは、薄板鋼板を材料として床枠、コーナー柱、中間柱、上枠からなる骨組みに壁パネル、床板、扉、屋根、屋根周りの化粧板等を組み合わせて構成している。
【００１５】
一方、テラスＴは、軒先端部の左右両支柱により支持された前枠、左右側枠、垂木掛け、補強桟、垂木、屋根パネル、屋根押え等で構成され、後端が前記物置の前面開口部の上部に取り付けられている。
【００１６】
図２は、屋根枠体Ｔ１の分解斜視図であり、鋼板製組立式物置の上部幕板Ｎ１を挟んで屋外側にテラスの垂木掛け１、室内側に補強桟２を間口方向に長く配置してボルトナットで固定し、前記垂木掛け１、左右側枠３、前枠４および側枠ブラケット３ａでテラスの屋根枠体Ｔ１を構成し、前記屋根枠体Ｔ１の枠内に複数の垂木５を垂木ブラケット５ａにより前記垂木掛け１と前枠４間に掛け渡して固定している。また、前枠４は左右端部を前枠キャップ４ａで塞ぐとともに左右支柱６により下面を支持されている。
【００１７】
図３は、屋根パネル７の取付け状態を示す分解斜視図であり、前記屋根枠体Ｔ１の側枠３垂木５間および垂木５、５間に屋根パネル７、７・・を配置し、前記屋根パネル７の各左右端部を側枠３と側枠用屋根押え３ｂ、また垂木５と垂木用屋根押え５ｂのパッキンゴムＰでそれぞれ挟みつけて固定する。
【００１８】
図４は、図３における組付けた状態を示す横断面図である。垂木５に対して垂木用屋根押え５ｂで、側枠３に対して側枠用屋根押え３ｂで、それぞれ屋根パネル７の左右端部をパッキンゴムＰで挟みつけてタッピンネジＴＰで固定している。
【００１９】
図５は、屋根パネル７の組付けた状態を示す縦断面図である。物置の上部幕板Ｎ１を垂木掛け１と補強桟２で挟んだ状態でボルトナットＢで固定し、物置の前側左右コーナー柱（図示省略）の上部に掛け渡して固定している。あるいは物置の前側左右コーナー柱間に掛け渡された状態の上部幕板Ｎ１を垂木掛け１と補強桟２で挟んだ状態でボルトナットＢで固定したものである。
【００２０】
一方前枠４は、その下面を支柱ブラケット６ａにより取り付けられた支柱６で支持され、また前面には前枠４と一体的に軒樋４ｂが形成され、その下面に竪樋４ｃが連通して接続されている。
【００２１】
屋根パネル７は、後端部を前記垂木掛け１の上方開溝部に差込み上側をパッキンゴムＰで、下側を差込パッキンＰ１で固定する。一方前端部は前枠４の上方開溝部に差込み下側を差込パッキンＰ１で固定する。
【符号の説明】
【００２２】
１    垂木掛け
２    補強桟
３    側枠
３ｂ  側枠用屋根押え
４    前枠
５    垂木
５ｂ  垂木用屋根押え
６    支柱
７    屋根パネル
Ｔ    テラス
Ｔ１  屋根枠体
Ｎ    鋼板製組立式物置
Ｎ１  上部幕板
【図１】
2014055455.tif 000003
【図２】
2014055455.tif 000004
【図３】
2014055455.tif 000005
【図４】
2014055455.tif 000006
【図５】
2014055455.tif 000007